(57)【要約】【課題】効率良く収納箱を封緘することができ、しかもより強固かつ一体感に優れる封緘技術を提供する。【解決手段】側面フラップ部６，７及び上下フラップ部８，９を開放した状態で、開口部から折り畳まれ重ねられた複数枚のティシュペーパー２０を挿入する。次いで、両側面フラップ部６，７を内向きに折り畳み、さらに、その外側に重なるように切欠部１０を有する下フラップ部９を内向きに（上側に）折り曲げる。しかる後、切欠部１０を通じて露出する側面フラップ部６，７表面を含め、下フラップ部９の四隅の切欠部にわたる範囲に接着剤１１を塗布する。接着剤１１を塗布したならば、上フラップ部８を内向きに（下側に）折り曲げ、側面フラップ部６，７表面に塗布した接着剤１１に押し付け、接着することにより封緘する。【選択図】図４
2005255242.tif 000002
【特許請求の範囲】
【請求項１】
少なくとも三枚のフラップ部が重なり合わされ、接着剤により封緘されてなる繊維集合体の収納箱であって、
前記フラップ部のうち最も外側のフラップ部と最も内側のフラップ部との間にある中間フラップ部に複数の切欠部が設けられ、これらの切欠部を介して、前記最も外側フラップ部と最も内側のフラップ部とが直接に接着剤により接着されてなり、かつ前記接着剤は前記複数の切欠部のうち少なくとも一つの切欠部から他の少なくとも一つの切欠部に跨って連続している、ことを特徴とする繊維集合体の収納箱。
【請求項２】
取出し口を有する上面部と、上面部と対向する底面部と、相互に対向する一対の側面部と、これら側面部の横方向両端縁から張り出す一対の側面フラップ部と、前記上面部及び底面部の横方向両端縁から張り出す一対の上下フラップ部とを有し、
前記一対の側面フラップ部および一対の上下フラップ部のうちのいずれか一方の一対のフラップ部が内向きに折り曲げられ、その外側に重なるように他方の一対のフラップ部が内向きに折り曲げられ、且つこれら他方の一対のフラップ部は一部または全部が互いに重なり合わされてなる、繊維集合体の収納箱であって、
前記他方の一対のフラップのうち内側に位置するフラップ部に複数の切欠部が設けられ、この切欠部を介して、前記他方の一対のフラップのうち外側に位置するフラップ部と前記一方の一対のフラップとが直接に接着剤により接着されてなり、かつ前記接着剤は前記複数の切欠部のうち少なくとも一つの切欠部から他の少なくとも一つの切欠部に跨って連続していることを特徴とする繊維集合体の収納箱。
【請求項３】
請求項１または２記載の収納箱内に、ティシュペーパー、キッチンペーパー、または化粧用コットンが収納されてなることを特徴とする繊維集合体製品。
【請求項４】
取出し口を有する上面部と、上面部と対向する底面部と、相互に対向する一対の側面部と、これら側面部の横方向両端縁から張り出す一対の側面フラップ部と、前記上面部及び底面部の横方向両端縁から張り出す一対の上下フラップ部とを有する空の収納箱内に、フラップ部を有する横方向一方側の部分から繊維集合体を挿入した後、
前記一対の側面フラップ部および一対の上下フラップ部のうちのいずれか一方の一対のフラップ部を内向きに折り曲げ、その外側に重なるように他方の一対のフラップ部を内向きに折り曲げ、且つこれら他方の一対のフラップ部を一部または全部を相互に重ね合わせて封緘する、繊維集合体製品の製造方法であって、
前記封緘に先立って、前記他方の一対のフラップ部のうち内側に位置するようになる内フラップ部に複数の切欠部を設けておき、
前記一方の一対のフラップ部を内向きに折り曲げるとともに、その外側に重なるように前記内フラップ部を内向きに折り曲げた後、この内フラップ部の表側から前記複数の切欠部のうち少なくとも一つの切欠部から他の少なくとも一つの切欠部に跨って連続するように接着剤を塗布し、しかる後前記他方の一対のフラップ部のうち外側に位置するようになる外フラップ部を内向きに折り曲げ、この外フラップ部を前記接着剤を介して前記内フラップ部および前記一方の一対のフラップ部と直接に接着する、
ことを特徴とする繊維集合体製品の製造方法。
【発明の詳細な説明】
【技術分野】
【０００１】
本発明は、繊維集合体の収納箱、繊維集合体製品およびその製造方法に関するものである。
【背景技術】
【０００２】
従来、例えばティシュペーパー、キッチンペーパー、化粧用コットン等の繊維集合体製品では、直方体形状の箱体の内部に、複数の繊維集合体が収納された形態で販売されている。この収納箱としては、一般的には、取出し口を有する上面部と、上面部と対向する底面部と、相互に対向する一対の側面部と、これら側面部の横方向両端縁から張り出す一対の側面フラップ部と、上面部及び底面部の横方向両端縁から張り出す一対の上下フラップ部とを有し、側面フラップ部が内向きに折り曲げられ、その外側に重なるように上下フラップ部が内向きに折り曲げられ、且つこの一対の上下フラップ部は一部または全部が互いに重なり合わされて封緘されている。
【０００３】
そして、製造に際しては、空の収納箱内に、フラップ部を有する横方向一方側の部分から繊維集合体を挿入した後、側面フラップ部を内向きに折り曲げ、その外側面にホットメルト接着剤等の接着剤を塗布するとともに、その外側に重なるように上下フラップ部の一方、例えば底面から張り出す下フラップ部を折り曲げて接着し、しかる後、下フラップ部の先端部に接着剤を塗布するとともに、上面から張り出す上フラップ部を下フラップ部の外側に重なるように折り曲げて接着し、封緘していた。
【０００４】
この場合、側面フラップ部と上下フラップ部との接着、ならびに上下フラップ相互の接着を個別に行う、二段階の接着工程となっており、手作業でやるにしても機械でやるにしても効率の面で改善の余地があった。また、このような二段階工程では、前工程で塗布した接着剤が、後工程で加わる力により箱内にはみ出し、箱内の繊維集合体に付着するおそれがあった。
【０００５】
この問題点に対して、本出願人は、少なくとも三枚のフラップ部が重なり合わされ、接着剤により封緘されてなる繊維集合体の収納箱において、フラップ部のうち最も外側のフラップ部と最も内側のフラップ部との間にある中間フラップ部に切欠部を設け、この切欠部を介して、最も外側フラップ部と最も内側のフラップ部とを直接に接着剤により接着することを提案した（特許文献１参照）。
【０００６】
しかしながら、接着を強固に、しかもバランス良く行うためには複数箇所の接着が必要になるが、その場合、各箇所に個別に接着剤を塗布する必要がある。またこの場合、接着剤塗布量が少ないと、中間フラップ部は挟まれるだけ、もしくは僅かな接着剤量で接着されるだけであり、強固な接着が不可能であった。
【特許文献１】特開２００３−２９２０７０号公報
【発明の開示】
【発明が解決しようとする課題】
【０００７】
そこで、本発明の主たる課題は、さらに効率良く且つ強固に収納箱を封緘しうる技術を提供することにある。
【課題を解決するための手段】
【０００８】
上記課題を解決した本発明は次記のとおりである。
＜請求項１＞
少なくとも三枚のフラップ部が重なり合わされ、接着剤により封緘されてなる繊維集合体の収納箱であって、
前記フラップ部のうち最も外側のフラップ部と最も内側のフラップ部との間にある中間フラップ部に複数の切欠部が設けられ、これらの切欠部を介して、前記最も外側フラップ部と最も内側のフラップ部とが直接に接着剤により接着されてなり、かつ前記接着剤は前記複数の切欠部のうち少なくとも一つの切欠部から他の少なくとも一つの切欠部に跨って連続している、ことを特徴とする繊維集合体の収納箱。
【０００９】
（作用効果）
三枚以上のフラップ部を重ね合わせ、接着剤により封緘する場合、重なり合うフラップ部相互を個別に接着すると、接着工数が二回以上になり、その結果、前工程で塗布した接着剤が、後工程で加わる力により箱内にはみ出し、箱内の繊維集合体に付着するおそれを発生させる。
【００１０】
本発明によれば、中間フラップ部に切欠部が設けられ、この切欠部を介して、最も外側フラップ部と最も内側のフラップ部とを直接に接着剤により接着する。よって、一度の接着工程で三枚以上のフラップ部を接着し、封緘できる。
【００１１】
さらに、本発明は、接着を強固に、しかもバランス良く行うために複数箇所の接着を必須とするものであり、その場合における接着剤塗布効率をも改善しうるものである。すなわち、本発明では、接着剤は複数の切欠部のうち少なくとも一つの切欠部から他の少なくとも一つの切欠部に跨って連続している。よって、複数箇所の切欠部において接着を行う場合であっても、後述の請求項３記載の発明からも理解されるように、接着剤を一度に連続的に塗布するだけで済み、従来技術に対して更なる接着作業の効率を改善することができる。
【００１２】
さらに、このように、接着剤が複数の切欠部のうち少なくとも一つの切欠部から他の少なくとも一つの切欠部に跨って連続していると、両端部が最も内側のフラップ部に対して接着された接着剤が中間フラップ部の表面を回り込んで内側フラップ部に対して押さえ付けるようになるとともに、接着剤の切欠部位置にない部分（中間フラップ部表面に存在すする部分）が最も外側のフラップ部と接着するため、接着面積が広くなり、より強固で一体感に優れる接着が可能となる。
【００１３】
＜請求項２＞
取出し口を有する上面部と、上面部と対向する底面部と、相互に対向する一対の側面部と、これら側面部の横方向両端縁から張り出す一対の側面フラップ部と、前記上面部及び底面部の横方向両端縁から張り出す一対の上下フラップ部とを有し、
前記一対の側面フラップ部および一対の上下フラップ部のうちのいずれか一方の一対のフラップ部が内向きに折り曲げられ、その外側に重なるように他方の一対のフラップ部が内向きに折り曲げられ、且つこれら他方の一対のフラップ部は一部または全部が互いに重なり合わされてなる、繊維集合体の収納箱であって、
前記他方の一対のフラップのうち内側に位置するフラップ部に複数の切欠部が設けられ、この切欠部を介して、前記他方の一対のフラップのうち外側に位置するフラップ部と前記一方の一対のフラップとが直接に接着剤により接着されてなり、かつ前記接着剤は前記複数の切欠部のうち少なくとも一つの切欠部から他の少なくとも一つの切欠部に跨って連続していることを特徴とする繊維集合体の収納箱。
【００１４】
（作用効果）
本項記載のように、本発明は、一般的な繊維集合体製品の収納箱の構成に対して容易に適用できる。
【００１５】
＜請求項３＞
請求項１または２記載の収納箱内に、ティシュペーパー、キッチンペーパー、または化粧用コットンが収納されてなることを特徴とする繊維集合体製品。
【００１６】
（作用効果）
このような衛生が要求される製品においては、箱内の繊維集合体への接着剤の付着はあってはならないことである。かかる製品に本発明を適用することにより、不良品、クレームの発生を防止できる。
【００１７】
＜請求項４＞
取出し口を有する上面部と、上面部と対向する底面部と、相互に対向する一対の側面部と、これら側面部の横方向両端縁から張り出す一対の側面フラップ部と、前記上面部及び底面部の横方向両端縁から張り出す一対の上下フラップ部とを有する空の収納箱内に、フラップ部を有する横方向一方側の部分から繊維集合体を挿入した後、
前記一対の側面フラップ部および一対の上下フラップ部のうちのいずれか一方の一対のフラップ部を内向きに折り曲げ、その外側に重なるように他方の一対のフラップ部を内向きに折り曲げ、且つこれら他方の一対のフラップ部を一部または全部を相互に重ね合わせて封緘する、繊維集合体製品の製造方法であって、
前記封緘に先立って、前記他方の一対のフラップ部のうち内側に位置するようになる内フラップ部に複数の切欠部を設けておき、
前記一方の一対のフラップ部を内向きに折り曲げるとともに、その外側に重なるように前記内フラップ部を内向きに折り曲げた後、この内フラップ部の表側から前記複数の切欠部のうち少なくとも一つの切欠部から他の少なくとも一つの切欠部に跨って連続するように接着剤を塗布し、しかる後前記他方の一対のフラップ部のうち外側に位置するようになる外フラップ部を内向きに折り曲げ、この外フラップ部を前記接着剤を介して前記内フラップ部および前記一方の一対のフラップ部と直接に接着する、
ことを特徴とする繊維集合体製品の製造方法。
【００１８】
（作用効果）
請求項１記載の発明と同様の作用効果が奏せられる。
【発明の効果】
【００１９】
以上のとおり、本発明によれば、従来よりもさらに効率良く且つ強固に収納箱を封緘できるようになる等の利点がもたらされる。
【発明を実施するための最良の形態】
【００２０】
以下、本発明の一実施形態について添付図面を参照しながら詳説する。
（第１の実施形態）
図１は、本発明に係るティシュペーパー収納箱の例１を示しており、図２はその一方側脇部の封緘部を開放した状態を示している。他方側脇部の封緘部は、通常の場合、中央部に対して対称的に形成されるので以下では説明を省略する。この収納箱１は直方体状をなしており、取出し口２ｘを有する上面部２と、上面部２と対向する底面部３と、相互に対向する一対の側面部（以下前後の側面部という）４，５と、これら前後の側面部４，５の横方向両端縁から張り出す一対の側面フラップ部６，７と、上面部２及び底面部３の横方向両端縁から張り出す一対の上下フラップ部８，９とを有する。
【００２１】
また、一対の側面フラップ部６，７および一対の上下フラップ部８，９のうちのいずれか一方の一対のフラップ部、本例では一般的な形態と同様に側面フラップ部６，７が内向きに折り曲げられ、その外側に重なるように下フラップ部９が内向きに折り曲げられ、さらにその外側に上フラップ部８の全体が重なり合わされている。したがって、上フラップ部８および下フラップ部９は収納箱１の両脇面と略同じ面積形状を有している。
【００２２】
そして図２に示すように、本発明に従って、最も外側となる上フラップ部８と最も内側となる側面フラップ部６，７との間に位置する、下フラップ部９に切欠部１０が設けられている。切欠部１０は図示形態のように周囲を囲まれた貫通孔形状（図示例では角孔）のものの他、後述する図７に示すような、周囲の一部が開放された形状とすることもできる。切欠部１０の配置、形状及び数等は、接着強度、フラップ部の形状、フラップ部の重なり形態等に応じて適宜定めることができる。ただし、切欠部１０はその内側及び外側にフラップ部が存在する部分、つまり本例では下フラップ部９における側面フラップ部６，７及び上フラップ部８と重なる領域内に設けることが必要である。
【００２３】
かかる切欠部１０を設けることにより、図５に示すように、前記他方の一対のフラップのうち外側に位置するフラップ部と前記一方の一対のフラップとが直接に接着剤により接着することができる。ただし、本発明の場合、図４および図５に示すように、接着剤は複数の切欠部１０のうち少なくとも一つの切欠部１０から他の少なくとも一つの切欠部１０に跨って連続させる。特に、接着剤１１は、可能な限り多くの切欠部に跨って連続させるのが好ましく、この観点から、図示形態では、下フラップ部（つまり切欠部１０を設けるフラップ部９）が開口部の実質的に全体を覆う構成を採用し、かつ切欠部を四隅に形成した上で、全ての切欠部１０に跨る平面的範囲に接着剤を塗布している。このように構成することで、より少ない接着剤塗布回数で接着作業を行うことができる。
【００２４】
また、図５からも明らかなように、両端部が側面フラップ部６，７に接着された接着剤１１が切欠部１０から他の切欠部１０まで下フラップ部９の表面側を回り込んで側面フラップ部６，７に対して押さえ付けるようになるとともに、接着剤１１の切欠部１０位置にない部分（中間フラップ部表面に存在すする部分）が上フラップ部８と広範囲に接着するため、より強固で一体感に優れる接着が可能となる。
【００２５】
接着剤としては、ティシュペーパーの収納箱に良く用いられているホットメルト接着剤が好適であるが、他の接着剤を用いることもできる。このような接着構造とすることにより、一度の接着で３枚のフラップ部が重なる部分を封緘することができる。
【００２６】
製造手順は適宜定めることができるが、例えば図２〜４に示す順に行うのが好ましい。すなわち、先ず図２に示すように、側面フラップ部６，７及び上下フラップ部８，９を開放した状態で、開口部から折り畳まれ重ねられた複数枚のティシュペーパー２０を挿入する。次いで、図３に示すように両側面フラップ部６，７を内向きに折り畳み、さらに、その外側に重なるように切欠部１０を有する下フラップ部９を内向きに（上側に）折り曲げる。しかる後、図４に示すように、切欠部１０を通じて露出する側面フラップ部６，７表面を含め、下フラップ部９の四隅の切欠部にわたる範囲に接着剤１１を塗布する。図示例では、接着剤１１を切欠部１０内の一部にしか接着剤を行き渡らせていないが、全部に行き渡らせることもでき、またこれらの限りにおいてより広範な範囲まで接着剤を行き渡らせることも可能である。
【００２７】
接着剤を塗布したならば、上フラップ部８を内向きに（下側に）折り曲げ、塗布した接着剤１１に押し付け、接着することにより封緘する。かくして一度の接着工程で収納箱の封緘が可能になる。
【００２８】
（第２の実施形態）
次に、図６〜図９に基づいて市販製品への適用例１０について説明する。なお、前述の第１の実施形態と共通の構成部分については、同じ符号を使用し説明を省略する。本例のような一般的な形態の収納箱１００は、上下フラップ部８，９の各先端部のみが相互に重なる点、および下フラップ部９の先端部における端縁方向中央部に、開封に際して切り取られるミシン目９ｍによる切取部分９ｃが形成されている点が主に相違する。
【００２９】
このようにフラップ部８，９の各先端部のみが相互に重なる形態では、前述の第１の実施形態のように貫通孔状の切欠部１０を設けるには、重なり部分の面積が小さい。したがって、このような場合には、図７に示すようにフラップ部９の先端縁側が開放された形状、換言すれば先端縁を含めて切り欠き、先端縁から基端側に凹んだ形状の切欠部１１０とするのが好ましい。
【００３０】
また、本例のように、下フラップ部９の先端部における端縁方向中央部に、開封に際して切り取られるミシン目９ｍが形成されている場合には、切欠部１１０を設ける部位はさらに限られてしまう。よって、本発明に従って切欠部１１０を設ける場合、図示例のように、ミシン目９ｍによる切取部分９ｃの先端縁方向両側に設けるのが好ましく、さらに先端縁方向に沿って横長形状に設けるのが好ましい。
【００３１】
このような形態を採用することにより、上下フラップ部８，９の各先端部のみが相互に重なるような形態であっても（そうでない場合にも同様の形態を採ることはできる）、本発明の切欠部１１０を用いた切欠部間に跨る連続的な接着形態を容易に適用できる。図示形態では、接着剤が、切欠部１１０を介して直接に下フラップ部９と側面フラップ部６，７とを接着しており、かつこの接着剤は、一方の切欠部１１０から他方の切欠部１１０に渡る範囲に線状もしくは帯状に連続している。
【００３２】
本第２の実施形態においても、製造手順は適宜定めることができるが、例えば図６〜９に示す順に行うのが好ましい。基本的には第１の実施形態と同様である。すなわち、先ず図７に示すように、側面フラップ部６，７及び上下フラップ部８，９を開放した状態で、開口部から折り畳まれ重ねられた複数枚のティシュペーパー２０を挿入する。次いで、図８に示すように両側面フラップ部６，７を内向きに折り畳み、さらに、その外側に重なるように切欠部１１０を有する下フラップ部９を内向きに（上側に）折り曲げる。しかる後、図９に示すように下フラップ部９の切欠部１１０を通じて露出する側面フラップ部６，７表面を含め、一方の切欠部１１０から切取部分９ｃの中央部表面（外側面）を通り他方の切欠部１１０にわたる範囲に連続線状もしくは連続帯状に接着剤１１を塗布する。塗布範囲及び量についても第１の実施形態と基本的に同様である。接着剤１１を塗布したならば、上フラップ部８を内向きに（下側に）折り曲げ、接着剤１１に押し付け、接着することにより封緘する。かくして、一般的な市販製品の形態を有する収納箱であっても、一度の接着剤塗布だけで、より強固かつ一体感に優れる封緘が可能になる。
【００３３】
（その他）
（イ）上記例は、側面フラップ部６，７が内側に入り、上フラップ部８及び下フラップ部９が外側に露出する構造となっているが、反対に、上フラップ部及び下フラップ部が内側に入り、側面フラップ部が外側に露出する構造にも本発明は適用できる。
【００３４】
（ロ）上記例は、直方体状収納箱への適用であるが、本発明は他の立方体形状であっても適用できる。
【００３５】
（ハ）上記例では、側面フラップ部６，７、上フラップ部８、下フラップ部９の３枚のフラップ部が重なる形態であるが、本発明は４枚以上のフラップ部が重なる場合にも適用でき、この場合、最も外側のフラップ部と最も内側のフラップ部との間に位置する中間の複数枚のフラップ部各々に、位置を対応させて切欠部を設け、これら切欠部を介して、最も外側フラップ部と最も内側のフラップ部とを直接に接着することで、一度の接着工程での封緘が可能になる。
【００３６】
（ニ）本発明の収納箱は、紙よりなる紙箱に好適であるが、フラップ部を接着剤で接着する限り、フィルム等の軟質樹脂製収納箱（収納体）、硬質樹脂製収納箱等、箱の素材の如何を問わず適用できるものである。
【産業上の利用可能性】
【００３７】
本発明は、ティシュペーパー、キッチンペーパー、化粧用コットン等のように衛生が要求される繊維集合体製品に好適なものであるが、他の繊維集合体製品に対しても適用できるものである。
【図面の簡単な説明】
【００３８】
【図１】第１の実施形態の斜視図である。
【図２】第１の実施形態の斜視図である。
【図３】第１の実施形態の斜視図である。
【図４】第１の実施形態の斜視図である。
【図５】切欠部の断面図である。
【図６】第２の実施形態の斜視図である。
【図７】第２の実施形態の斜視図である。
【図８】第２の実施形態の斜視図である。
【図９】第２の実施形態の斜視図である。
【符号の説明】
【００３９】
１，１００…収納箱、２…上面部、３…底面部、４，５…側面部、６，７…側面フラップ部、８…上フラップ部、９…下フラップ部、１０，１１０…切欠部、１１…接着剤。
【図１】
2005255242.tif 000003
【図２】
2005255242.tif 000004
【図３】
2005255242.tif 000005
【図４】
2005255242.tif 000006
【図５】
2005255242.tif 000007
【図６】
2005255242.tif 000008
【図７】
2005255242.tif 000009
【図８】
2005255242.tif 000010
【図９】
2005255242.tif 000011
【手続補正書】
【提出日】平成17年7月13日(2005.7.13)
【手続補正１】
【補正対象書類名】特許請求の範囲
【補正対象項目名】全文
【補正方法】変更
【補正の内容】
【特許請求の範囲】
【請求項１】
少なくとも三枚のフラップ部が重なり合わされ、接着剤により封緘されてなる繊維集合体の収納箱であって、
前記フラップ部のうち最も外側のフラップ部と最も内側のフラップ部との間にある中間フラップ部に複数の切欠部が設けられ、これらの切欠部を介して、前記最も外側のフラップ部と最も内側のフラップ部とが直接に接着剤により接着されてなり、かつ前記接着剤は前記複数の切欠部のうち少なくとも一つの切欠部から他の少なくとも一つの切欠部に跨って連続している、ことを特徴とする繊維集合体の収納箱。
【請求項２】
取出し口を有する上面部と、上面部と対向する底面部と、相互に対向する一対の側面部と、これら側面部の横方向両端縁から張り出す一対の側面フラップ部と、前記上面部及び底面部の横方向両端縁から張り出す一対の上下フラップ部とを有し、
前記一対の側面フラップ部および一対の上下フラップ部のうちのいずれか一方の一対のフラップ部が内向きに折り曲げられ、その外側に重なるように他方の一対のフラップ部が内向きに折り曲げられ、且つこれら他方の一対のフラップ部は一部または全部が互いに重なり合わされてなる、繊維集合体の収納箱であって、
前記他方の一対のフラップのうち内側に位置するフラップ部に複数の切欠部が設けられ、この切欠部を介して、前記他方の一対のフラップのうち外側に位置するフラップ部と前記一方の一対のフラップとが直接に接着剤により接着されてなり、かつ前記接着剤は前記複数の切欠部のうち少なくとも一つの切欠部から他の少なくとも一つの切欠部に跨って連続していることを特徴とする繊維集合体の収納箱。
【請求項３】
請求項１または２記載の収納箱内に、ティシュペーパー、キッチンペーパー、または化粧用コットンが収納されてなることを特徴とする繊維集合体製品。
【請求項４】
取出し口を有する上面部と、上面部と対向する底面部と、相互に対向する一対の側面部と、これら側面部の横方向両端縁から張り出す一対の側面フラップ部と、前記上面部及び底面部の横方向両端縁から張り出す一対の上下フラップ部とを有する空の収納箱内に、フラップ部を有する横方向一方側の部分から繊維集合体を挿入した後、
前記一対の側面フラップ部および一対の上下フラップ部のうちのいずれか一方の一対のフラップ部を内向きに折り曲げ、その外側に重なるように他方の一対のフラップ部を内向きに折り曲げ、且つこれら他方の一対のフラップ部を一部または全部を相互に重ね合わせて封緘する、繊維集合体製品の製造方法であって、
前記封緘に先立って、前記他方の一対のフラップ部のうち内側に位置するようになる内フラップ部に複数の切欠部を設けておき、
前記一方の一対のフラップ部を内向きに折り曲げるとともに、その外側に重なるように前記内フラップ部を内向きに折り曲げた後、この内フラップ部の表側から前記複数の切欠部のうち少なくとも一つの切欠部から他の少なくとも一つの切欠部に跨って連続するように接着剤を塗布し、しかる後前記他方の一対のフラップ部のうち外側に位置するようになる外フラップ部を内向きに折り曲げ、この外フラップ部を前記接着剤を介して前記内フラップ部および前記一方の一対のフラップ部と直接に接着する、
ことを特徴とする繊維集合体製品の製造方法。
【手続補正２】
【補正対象書類名】明細書
【補正対象項目名】全文
【補正方法】変更
【補正の内容】
【発明の詳細な説明】
【技術分野】
【０００１】
本発明は、繊維集合体の収納箱、繊維集合体製品およびその製造方法に関するものである。
【背景技術】
【０００２】
従来、例えばティシュペーパー、キッチンペーパー、化粧用コットン等の繊維集合体製品では、直方体形状の箱体の内部に、複数の繊維集合体が収納された形態で販売されている。この収納箱としては、一般的には、取出し口を有する上面部と、上面部と対向する底面部と、相互に対向する一対の側面部と、これら側面部の横方向両端縁から張り出す一対の側面フラップ部と、上面部及び底面部の横方向両端縁から張り出す一対の上下フラップ部とを有し、側面フラップ部が内向きに折り曲げられ、その外側に重なるように上下フラップ部が内向きに折り曲げられ、且つこの一対の上下フラップ部は一部または全部が互いに重なり合わされて封緘されている。
【０００３】
そして、製造に際しては、空の収納箱内に、フラップ部を有する横方向一方側の部分から繊維集合体を挿入した後、側面フラップ部を内向きに折り曲げ、その外側面にホットメルト接着剤等の接着剤を塗布するとともに、その外側に重なるように上下フラップ部の一方、例えば底面から張り出す下フラップ部を折り曲げて接着し、しかる後、下フラップ部の先端部に接着剤を塗布するとともに、上面から張り出す上フラップ部を下フラップ部の外側に重なるように折り曲げて接着し、封緘していた。
【０００４】
この場合、側面フラップ部と上下フラップ部との接着、ならびに上下フラップ相互の接着を個別に行う、二段階の接着工程となっており、手作業でやるにしても機械でやるにしても効率の面で改善の余地があった。また、このような二段階工程では、前工程で塗布した接着剤が、後工程で加わる力により箱内にはみ出し、箱内の繊維集合体に付着するおそれがあった。
【０００５】
この問題点に対して、本出願人は、少なくとも三枚のフラップ部が重なり合わされ、接着剤により封緘されてなる繊維集合体の収納箱において、フラップ部のうち最も外側のフラップ部と最も内側のフラップ部との間にある中間フラップ部に切欠部を設け、この切欠部を介して、最も外側のフラップ部と最も内側のフラップ部とを直接に接着剤により接着することを提案した（特許文献１参照）。
【０００６】
しかしながら、接着を強固に、しかもバランス良く行うためには複数箇所の接着が必要になるが、その場合、各箇所に個別に接着剤を塗布する必要がある。またこの場合、接着剤塗布量が少ないと、中間フラップ部は挟まれるだけ、もしくは僅かな接着剤量で接着されるだけであり、強固な接着が不可能であった。
【特許文献１】特開２００３−２９２０７０号公報
【発明の開示】
【発明が解決しようとする課題】
【０００７】
そこで、本発明の主たる課題は、さらに効率良く且つ強固に収納箱を封緘しうる技術を提供することにある。
【課題を解決するための手段】
【０００８】
上記課題を解決した本発明は次記のとおりである。
＜請求項１＞
少なくとも三枚のフラップ部が重なり合わされ、接着剤により封緘されてなる繊維集合体の収納箱であって、
前記フラップ部のうち最も外側のフラップ部と最も内側のフラップ部との間にある中間フラップ部に複数の切欠部が設けられ、これらの切欠部を介して、前記最も外側のフラップ部と最も内側のフラップ部とが直接に接着剤により接着されてなり、かつ前記接着剤は前記複数の切欠部のうち少なくとも一つの切欠部から他の少なくとも一つの切欠部に跨って連続している、ことを特徴とする繊維集合体の収納箱。
【０００９】
（作用効果）
三枚以上のフラップ部を重ね合わせ、接着剤により封緘する場合、重なり合うフラップ部相互を個別に接着すると、接着工数が二回以上になり、その結果、前工程で塗布した接着剤が、後工程で加わる力により箱内にはみ出し、箱内の繊維集合体に付着するおそれを発生させる。
【００１０】
本発明によれば、中間フラップ部に切欠部が設けられ、この切欠部を介して、最も外側のフラップ部と最も内側のフラップ部とを直接に接着剤により接着する。よって、一度の接着工程で三枚以上のフラップ部を接着し、封緘できる。
【００１１】
さらに、本発明は、接着を強固に、しかもバランス良く行うために複数箇所の接着を必須とするものであり、その場合における接着剤塗布効率をも改善しうるものである。すなわち、本発明では、接着剤は複数の切欠部のうち少なくとも一つの切欠部から他の少なくとも一つの切欠部に跨って連続している。よって、複数箇所の切欠部において接着を行う場合であっても、後述の請求項３記載の発明からも理解されるように、接着剤を一度に連続的に塗布するだけで済み、従来技術に対して更なる接着作業の効率を改善することができる。
【００１２】
さらに、このように、接着剤が複数の切欠部のうち少なくとも一つの切欠部から他の少なくとも一つの切欠部に跨って連続していると、両端部が最も内側のフラップ部に対して接着された接着剤が中間フラップ部の表面を回り込んで内側フラップ部に対して押さえ付けるようになるとともに、接着剤の切欠部位置にない部分（中間フラップ部表面に存在すする部分）が最も外側のフラップ部と接着するため、接着面積が広くなり、より強固で一体感に優れる接着が可能となる。
【００１３】
＜請求項２＞
取出し口を有する上面部と、上面部と対向する底面部と、相互に対向する一対の側面部と、これら側面部の横方向両端縁から張り出す一対の側面フラップ部と、前記上面部及び底面部の横方向両端縁から張り出す一対の上下フラップ部とを有し、
前記一対の側面フラップ部および一対の上下フラップ部のうちのいずれか一方の一対のフラップ部が内向きに折り曲げられ、その外側に重なるように他方の一対のフラップ部が内向きに折り曲げられ、且つこれら他方の一対のフラップ部は一部または全部が互いに重なり合わされてなる、繊維集合体の収納箱であって、
前記他方の一対のフラップのうち内側に位置するフラップ部に複数の切欠部が設けられ、この切欠部を介して、前記他方の一対のフラップのうち外側に位置するフラップ部と前記一方の一対のフラップとが直接に接着剤により接着されてなり、かつ前記接着剤は前記複数の切欠部のうち少なくとも一つの切欠部から他の少なくとも一つの切欠部に跨って連続していることを特徴とする繊維集合体の収納箱。
【００１４】
（作用効果）
本項記載のように、本発明は、一般的な繊維集合体製品の収納箱の構成に対して容易に適用できる。
【００１５】
＜請求項３＞
請求項１または２記載の収納箱内に、ティシュペーパー、キッチンペーパー、または化粧用コットンが収納されてなることを特徴とする繊維集合体製品。
【００１６】
（作用効果）
このような衛生が要求される製品においては、箱内の繊維集合体への接着剤の付着はあってはならないことである。かかる製品に本発明を適用することにより、不良品、クレームの発生を防止できる。
【００１７】
＜請求項４＞
取出し口を有する上面部と、上面部と対向する底面部と、相互に対向する一対の側面部と、これら側面部の横方向両端縁から張り出す一対の側面フラップ部と、前記上面部及び底面部の横方向両端縁から張り出す一対の上下フラップ部とを有する空の収納箱内に、フラップ部を有する横方向一方側の部分から繊維集合体を挿入した後、
前記一対の側面フラップ部および一対の上下フラップ部のうちのいずれか一方の一対のフラップ部を内向きに折り曲げ、その外側に重なるように他方の一対のフラップ部を内向きに折り曲げ、且つこれら他方の一対のフラップ部を一部または全部を相互に重ね合わせて封緘する、繊維集合体製品の製造方法であって、
前記封緘に先立って、前記他方の一対のフラップ部のうち内側に位置するようになる内フラップ部に複数の切欠部を設けておき、
前記一方の一対のフラップ部を内向きに折り曲げるとともに、その外側に重なるように前記内フラップ部を内向きに折り曲げた後、この内フラップ部の表側から前記複数の切欠部のうち少なくとも一つの切欠部から他の少なくとも一つの切欠部に跨って連続するように接着剤を塗布し、しかる後前記他方の一対のフラップ部のうち外側に位置するようになる外フラップ部を内向きに折り曲げ、この外フラップ部を前記接着剤を介して前記内フラップ部および前記一方の一対のフラップ部と直接に接着する、
ことを特徴とする繊維集合体製品の製造方法。
【００１８】
（作用効果）
請求項１記載の発明と同様の作用効果が奏せられる。
【発明の効果】
【００１９】
以上のとおり、本発明によれば、従来よりもさらに効率良く且つ強固に収納箱を封緘できるようになる等の利点がもたらされる。
【発明を実施するための最良の形態】
【００２０】
以下、本発明の一実施形態について添付図面を参照しながら詳説する。
（第１の実施形態）
図１は、本発明に係るティシュペーパー収納箱の例１を示しており、図２はその一方側脇部の封緘部を開放した状態を示している。他方側脇部の封緘部は、通常の場合、中央部に対して対称的に形成されるので以下では説明を省略する。この収納箱１は直方体状をなしており、取出し口２ｘを有する上面部２と、上面部２と対向する底面部３と、相互に対向する一対の側面部（以下前後の側面部という）４，５と、これら前後の側面部４，５の横方向両端縁から張り出す一対の側面フラップ部６，７と、上面部２及び底面部３の横方向両端縁から張り出す一対の上下フラップ部８，９とを有する。
【００２１】
また、一対の側面フラップ部６，７および一対の上下フラップ部８，９のうちのいずれか一方の一対のフラップ部、本例では一般的な形態と同様に側面フラップ部６，７が内向きに折り曲げられ、その外側に重なるように下フラップ部９が内向きに折り曲げられ、さらにその外側に上フラップ部８の全体が重なり合わされている。したがって、上フラップ部８および下フラップ部９は収納箱１の両脇面と略同じ面積形状を有している。
【００２２】
そして図２に示すように、本発明に従って、最も外側となる上フラップ部８と最も内側となる側面フラップ部６，７との間に位置する、下フラップ部９に切欠部１０が設けられている。切欠部１０は図示形態のように周囲を囲まれた貫通孔形状（図示例では角孔）のものの他、後述する図７に示すような、周囲の一部が開放された形状とすることもできる。切欠部１０の配置、形状及び数等は、接着強度、フラップ部の形状、フラップ部の重なり形態等に応じて適宜定めることができる。ただし、切欠部１０はその内側及び外側にフラップ部が存在する部分、つまり本例では下フラップ部９における側面フラップ部６，７及び上フラップ部８と重なる領域内に設けることが必要である。
【００２３】
かかる切欠部１０を設けることにより、図５に示すように、前記他方の一対のフラップのうち外側に位置するフラップ部と前記一方の一対のフラップとが直接に接着剤により接着することができる。ただし、本発明の場合、図４および図５に示すように、接着剤は複数の切欠部１０のうち少なくとも一つの切欠部１０から他の少なくとも一つの切欠部１０に跨って連続させる。特に、接着剤１１は、可能な限り多くの切欠部に跨って連続させるのが好ましく、この観点から、図示形態では、下フラップ部（つまり切欠部１０を設けるフラップ部９）が開口部の実質的に全体を覆う構成を採用し、かつ切欠部を四隅に形成した上で、全ての切欠部１０に跨る平面的範囲に接着剤を塗布している。このように構成することで、より少ない接着剤塗布回数で接着作業を行うことができる。
【００２４】
また、図５からも明らかなように、両端部が側面フラップ部６，７に接着された接着剤１１が切欠部１０から他の切欠部１０まで下フラップ部９の表面側を回り込んで側面フラップ部６，７に対して押さえ付けるようになるとともに、接着剤１１の切欠部１０位置にない部分（中間フラップ部表面に存在する部分）が上フラップ部８と広範囲に接着するため、より強固で一体感に優れる接着が可能となる。
【００２５】
接着剤としては、ティシュペーパーの収納箱に良く用いられているホットメルト接着剤が好適であるが、他の接着剤を用いることもできる。このような接着構造とすることにより、一度の接着で３枚のフラップ部が重なる部分を封緘することができる。
【００２６】
製造手順は適宜定めることができるが、例えば図２〜４に示す順に行うのが好ましい。すなわち、先ず図２に示すように、側面フラップ部６，７及び上下フラップ部８，９を開放した状態で、開口部から折り畳まれ重ねられた複数枚のティシュペーパー２０を挿入する。次いで、図３に示すように両側面フラップ部６，７を内向きに折り畳み、さらに、その外側に重なるように切欠部１０を有する下フラップ部９を内向きに（上側に）折り曲げる。しかる後、図４に示すように、切欠部１０を通じて露出する側面フラップ部６，７表面を含め、下フラップ部９の四隅の切欠部にわたる範囲に接着剤１１を塗布する。図示例では、接着剤１１を切欠部１０内の一部にしか接着剤を行き渡らせていないが、全部に行き渡らせることもでき、またこれらの限りにおいてより広範な範囲まで接着剤を行き渡らせることも可能である。
【００２７】
接着剤を塗布したならば、上フラップ部８を内向きに（下側に）折り曲げ、塗布した接着剤１１に押し付け、接着することにより封緘する。かくして一度の接着工程で収納箱の封緘が可能になる。
【００２８】
（第２の実施形態）
次に、図６〜図９に基づいて市販製品への適用例について説明する。なお、前述の第１の実施形態と共通の構成部分については、同じ符号を使用し説明を省略する。本例のような一般的な形態の収納箱１００は、上下フラップ部８，９の各先端部のみが相互に重なる点、および下フラップ部９の先端部における端縁方向中央部に、開封に際して切り取られるミシン目９ｍによる切取部分９ｃが形成されている点が主に相違する。
【００２９】
このようにフラップ部８，９の各先端部のみが相互に重なる形態では、前述の第１の実施形態のように貫通孔状の切欠部１０を設けるには、重なり部分の面積が小さい。したがって、このような場合には、図７に示すようにフラップ部９の先端縁側が開放された形状、換言すれば先端縁を含めて切り欠き、先端縁から基端側に凹んだ形状の切欠部１１０とするのが好ましい。
【００３０】
また、本例のように、下フラップ部９の先端部における端縁方向中央部に、開封に際して切り取られるミシン目９ｍが形成されている場合には、切欠部１１０を設ける部位はさらに限られてしまう。よって、本発明に従って切欠部１１０を設ける場合、図示例のように、ミシン目９ｍによる切取部分９ｃの先端縁方向両側に設けるのが好ましく、さらに先端縁方向に沿って横長形状に設けるのが好ましい。
【００３１】
このような形態を採用することにより、上下フラップ部８，９の各先端部のみが相互に重なるような形態であっても（そうでない場合にも同様の形態を採ることはできる）、本発明の切欠部１１０を用いた切欠部間に跨る連続的な接着形態を容易に適用できる。図示形態では、接着剤が、切欠部１１０を介して直接に下フラップ部９と側面フラップ部６，７とを接着しており、かつこの接着剤は、一方の切欠部１１０から他方の切欠部１１０に渡る範囲に線状もしくは帯状に連続している。
【００３２】
本第２の実施形態においても、製造手順は適宜定めることができるが、例えば図７〜９に示す順に行うのが好ましい。基本的には第１の実施形態と同様である。すなわち、先ず図７に示すように、側面フラップ部６，７及び上下フラップ部８，９を開放した状態で、開口部から折り畳まれ重ねられた複数枚のティシュペーパー２０を挿入する。次いで、図８に示すように両側面フラップ部６，７を内向きに折り畳み、さらに、その外側に重なるように切欠部１１０を有する下フラップ部９を内向きに（上側に）折り曲げる。しかる後、図９に示すように下フラップ部９の切欠部１１０を通じて露出する側面フラップ部６，７表面を含め、一方の切欠部１１０から切取部分９ｃの中央部表面（外側面）を通り他方の切欠部１１０にわたる範囲に連続線状もしくは連続帯状に接着剤１１を塗布する。塗布範囲及び量についても第１の実施形態と基本的に同様である。接着剤１１を塗布したならば、上フラップ部８を内向きに（下側に）折り曲げ、接着剤１１に押し付け、接着することにより封緘する。かくして、一般的な市販製品の形態を有する収納箱であっても、一度の接着剤塗布だけで、より強固かつ一体感に優れる封緘が可能になる。
【００３３】
（その他）
（イ）上記例は、側面フラップ部６，７が内側に入り、上フラップ部８及び下フラップ部９が外側に露出する構造となっているが、反対に、上フラップ部及び下フラップ部が内側に入り、側面フラップ部が外側に露出する構造にも本発明は適用できる。
【００３４】
（ロ）上記例は、直方体状収納箱への適用であるが、本発明は他の立方体形状であっても適用できる。
【００３５】
（ハ）上記例では、側面フラップ部６，７、上フラップ部８、下フラップ部９の３枚のフラップ部が重なる形態であるが、本発明は４枚以上のフラップ部が重なる場合にも適用でき、この場合、最も外側のフラップ部と最も内側のフラップ部との間に位置する中間の複数枚のフラップ部各々に、位置を対応させて切欠部を設け、これら切欠部を介して、最も外側のフラップ部と最も内側のフラップ部とを直接に接着することで、一度の接着工程での封緘が可能になる。
【００３６】
（ニ）本発明の収納箱は、紙よりなる紙箱に好適であるが、フラップ部を接着剤で接着する限り、フィルム等の軟質樹脂製収納箱（収納体）、硬質樹脂製収納箱等、箱の素材の如何を問わず適用できるものである。
【産業上の利用可能性】
【００３７】
本発明は、ティシュペーパー、キッチンペーパー、化粧用コットン等のように衛生が要求される繊維集合体製品に好適なものであるが、他の繊維集合体製品に対しても適用できるものである。
【図面の簡単な説明】
【００３８】
【図１】第１の実施形態の斜視図である。
【図２】第１の実施形態の斜視図である。
【図３】第１の実施形態の斜視図である。
【図４】第１の実施形態の斜視図である。
【図５】切欠部の断面図である。
【図６】第２の実施形態の斜視図である。
【図７】第２の実施形態の斜視図である。
【図８】第２の実施形態の斜視図である。
【図９】第２の実施形態の斜視図である。
【符号の説明】
【００３９】
１，１００…収納箱、２…上面部、３…底面部、４，５…側面部、６，７…側面フラップ部、８…上フラップ部、９…下フラップ部、１０，１１０…切欠部、１１…接着剤。
【手続補正３】
【補正対象書類名】図面
【補正対象項目名】図６
【補正方法】変更
【補正の内容】
【図６】
2005255242.tif 000012
【手続補正４】
【補正対象書類名】図面
【補正対象項目名】図７
【補正方法】変更
【補正の内容】
【図７】
2005255242.tif 000013
【手続補正５】
【補正対象書類名】図面
【補正対象項目名】図８
【補正方法】変更
【補正の内容】
【図８】
2005255242.tif 000014
【手続補正６】
【補正対象書類名】図面
【補正対象項目名】図９
【補正方法】変更
【補正の内容】
【図９】
2005255242.tif 000015